(57)【特許請求の範囲】
【請求項１】
帯域幅を固定として受信された受信信号の帯域に所望信号の帯域と他の帯域が含まれる場合、前記所望信号とともに送信されてきた伝送制御情報に基づいて、前記所望信号の帯域幅を取得する取得部と、
前記受信信号の帯域幅に対する、前記取得部により取得された前記所望信号の帯域幅の割合に基づいて、前記受信信号の電力調整に用いられる利得を決定する決定部と
を備える受信装置。
【請求項２】
前記受信信号の帯域幅は、前記伝送制御情報の送信に用いられる帯域幅を含む帯域幅である
請求項１に記載の受信装置。
【請求項３】
帯域幅を固定として所定の周波数帯域の信号を受信する受信部をさらに備え、
前記決定部は、前記受信部により受信された前記受信信号の電力調整に用いられる前記利得を決定する
請求項１または２に記載の受信装置。
【請求項４】
前記決定部により決定された前記利得に基づいて前記受信信号の電力を調整する電力調整部をさらに備える
請求項１乃至３のいずれかに記載の受信装置。
【請求項５】
前記他の帯域の信号を抑圧する処理部をさらに備え、
前記電力調整部は、前記他の帯域の信号が抑圧された前記受信信号の電力を調整する
請求項４に記載の受信装置。
【請求項６】
前記受信信号は、DVB-C2の変調信号である
請求項１乃至５のいずれかに記載の受信装置。
【請求項７】
帯域幅を固定として受信された受信信号の帯域に所望信号の帯域と他の帯域が含まれる場合、前記所望信号とともに送信されてきた伝送制御情報に基づいて、前記所望信号の帯域幅を取得し、
前記受信信号の帯域幅に対する、取得した前記所望信号の帯域幅の割合に基づいて、前記受信信号の電力調整に用いられる利得を決定する
ステップを含む受信方法。
【請求項８】
帯域幅を固定として受信された受信信号の帯域に所望信号の帯域と他の帯域が含まれる場合、前記所望信号とともに送信されてきた伝送制御情報に基づいて、前記所望信号の帯域幅を取得し、
前記受信信号の帯域幅に対する、取得した前記所望信号の帯域幅の割合に基づいて、前記受信信号の電力調整に用いられる利得を決定する
ステップを含む処理をコンピュータに実行させるプログラム。
【請求項９】
伝送路を介して送信されてきた信号を、帯域幅を固定として所定の周波数帯域の信号を受信するようにして受信する受信部と、
前記受信部により受信された受信信号の復調処理を行う復調部と、
前記復調部により復調されたデータに信号処理を施し、送信対象のデータを取得する信号処理部と、
前記信号処理部により取得された前記送信対象のデータを出力する出力部と
を備え、
前記復調部は、
前記受信部により受信された受信信号の帯域に所望信号の帯域と他の帯域が含まれる場合、前記所望信号とともに送信されてきた伝送制御情報に基づいて、前記所望信号の帯域幅を取得する取得部と、
前記受信信号の帯域幅に対する、前記取得部により取得された前記所望信号の帯域幅の割合に基づいて、前記受信信号の電力調整に用いられる利得を決定する決定部と
を備える
受信システム。
【発明の詳細な説明】
【技術分野】
【０００１】
本技術は、特に、帯域幅が可変な信号を受信する場合の受信性能を向上させることができるようにした受信装置、受信方法、プログラム、および受信システムに関する。
【背景技術】
【０００２】
地上デジタル放送などにおいては、一般的に、一定の周波数間隔を空けてチャネル（物理チャネル）を規定し、法令で決められた帯域幅の独立した信号を送るようになっている。チャネル間干渉などの観点から、所定の帯域幅のガードバンドが各チャネルの間に設定される。
【０００３】
例えば、欧州の地上デジタル放送規格であるDVB-T/T2の場合、図１Ａに示すように各チャネルの帯域幅は8MHzである。受信機は、そのような予め決められた帯域幅の信号が送信されてくることを前提として設計されることになる。
【０００４】
このような伝送方式によって信号を送信する送信事業者は、例えば、チャネル（物理チャネル）の一部に妨害波が存在する場合、その帯域全体を使わないような選択を行っていた。これにより、周波数帯域の無駄が生じることになる。
【０００５】
ところで、欧州の第２世代のケーブルデジタル放送の規格として2010年に規格化されたDVB-C2では、このような無駄を避ける仕組みが盛り込まれている（非特許文献１）。
【０００６】
図１Ｂに示すように、DVB-C2にはData Sliceという概念があり、それを所定の数だけ組み合わせてC2 Systemが構成される。個々のData Sliceは3408キャリア以下の帯域幅とし、規格で定められた条件を満たす範囲であれば自由な組み合わせが許されている。
【０００７】
また、DVB-C2にはNotchという概念がある。送信事業者は、外乱等のために使用不可能な帯域をNotchとして定義し、サブキャリア単位で表すNotchの位置の情報をC2 Systemに含めることができるようになっている。
【０００８】
図２Ａは、DVB-T/T2の信号の例を示す図であり、図２Ｂは、DVB-C2の信号の例を示す図である。図２の横軸は周波数を表す。DVB-C2の信号について説明する。
【０００９】
図２Ｂにおいて線で囲んで示すように、C2 Systemは、Preamble SymbolとData Symbolから構成される。規格上、１つのC2 Systemは最大3.5GHz程度の帯域幅を有する信号となる。
【００１０】
Preamble Symbolは、L1 signalling part 2 data（L1情報）と呼ばれる伝送制御情報の伝送に用いられるシンボルである。L1情報の詳細については後述する。Preamble Symbolを用いて、3408キャリア周期（OFDM(Orthogonal Frequency Division Multiplex)の3408のサブキャリア周期）で同じ情報が繰り返し送信される。3408キャリアは7.61MHzの周波数帯域に相当する。
【００１１】
Data Symbolは番組データなどのTS(Transport Stream)等の伝送に用いられるシンボルである。Data SymbolはData Slice毎に分割される。例えばData Slice １（DS1）とData Slice ２（DS2）とではそれぞれ異なる番組のデータが伝送される。Data Sliceの数などの、各Data Sliceに関するパラメータがL1情報に含まれる。
【００１２】
図２Ｂにおいて黒で塗りつぶして示す部分がNotchである。Notchは、FM放送、警察用の無線通信、軍事用の無線通信などに用いられる周波数帯域であり、C2 Systemの信号の送信に用いられない。送信機が出力する送信信号のうちのNotchの区間は無信号の区間になる。Notchには、帯域幅が48キャリア未満のNarrowband Notchと、48キャリア以上のBroadband Notchとがある。Notchの数や帯域幅などの、各Notchに関するパラメータもL1情報に含まれる。
【００１３】
このように、DVB-C2の信号には帯域幅が可変な「Data Slice」と「Notch」が存在する。受信機としては、送信側によってほぼ任意に選択される帯域幅のOFDM信号を復調できることが求められる。DVB-C2では、所望のData Sliceの幅が3408キャリアより小さい場合がある。所望のData Sliceのキャリア数は、チャネルスキャン時にL1情報から取得される。
【００１４】
受信機における受信処理は、図３Ａに示すような固定の帯域幅（3409キャリア）のTuning Window内の信号を受信するようにして行われる。所望のData Sliceの信号を受信するのに適したTuning Windowの中心位置（中心周波数）は送信側から指定される。
【００１５】
受信機においては、送信側により指定された周波数の信号を用いて直交復調を行うことによってOFDM信号の復調処理が行われる。復調処理によって得られたL1情報に基づいて番組データの復号が行われる。
【先行技術文献】
【非特許文献】
【００１６】
【非特許文献１】DVB-C2規格書 [Digital Video Broadcasting (DVB); Frame structure channel coding and modulation for a second generation digital transmission system for cable systems (DVB-C2)] DVB Document A138
【発明の概要】
【発明が解決しようとする課題】
【００１７】
一般的な受信機においては、量子化雑音を低減させるためにAGC(Auto Gain Control)機能によってゲインの自動調整が行われる。ゲインの調整は、受信機に入力された信号の電力に応じて、信号の電力が小さければゲインを大きくし、信号の電力が大きければゲインを小さくするようにして行われる。
【００１８】
DVB-T/T2などに対応した従来の受信機は、受信する信号の帯域幅が一定であるため、ゲインの調整用パラメータを毎回同じ設定としても問題がない。
【００１９】
しかし、DVB-C2に対応した受信機では、受信信号の帯域内に所望OFDM信号がどれだけ含まれるかによってゲイン調整の設定を変更する必要がある。すなわち、受信機に入力される信号の電力は、受信信号の帯域内にNotchが存在するのか存在しないのかなどによって変わってくる。
【００２０】
ターゲットとする電力量を一定にするといったようにゲインの調整用パラメータの設定を変更せずにAGCを行った場合、受信信号の帯域全体にOFDM信号が存在するときには、キャリア当たりの電力が小さくなって量子化雑音が大きくなることがある。逆に、受信信号の帯域の一部にOFDM信号が存在し、それ以外が無信号であるときには、キャリア当たりの電力が大きくなってオーバーフローが生じることがある。
【００２１】
なお、DVB-C2において受信信号の帯域内にBroadband Notchが含まれる状況は、基本的に、受信しようとするData Sliceが、Dependent Static DSである場合以外にはない。ここで、Dependent Static DSの表現は、他のData Slice（DS）の帯域においてL1情報を取得してからでないと復調することができず、いわば他のDSに従属しているDSという意味で用いている表現である。
【００２２】
Dependent Static DSは、図２ＢのDS8のように他のData Slice群から離れたData Sliceである。Dependent Static DSを受信するためにどのようにTuning Windowを選んだとしても、図３Ｂに示すように受信信号の帯域内にBroadband Notchが存在するか、C2 Systemの帯域外が存在する。Dependent Static DSを含む帯域を受信して復調してもL1情報を復号できることが保証されない。
【００２３】
本技術はこのような状況に鑑みてなされたものであり、帯域幅が可変な信号を受信する場合の受信性能を向上させることができるようにするものである。
【課題を解決するための手段】
【００２４】
本技術の一側面の受信装置は、帯域幅を固定として受信された受信信号の帯域に所望信号の帯域と他の帯域が含まれる場合、前記所望信号とともに送信されてきた伝送制御情報に基づいて、前記所望信号の帯域幅を取得する取得部と、前記受信信号の帯域幅に対する、前記取得部により取得された前記所望信号の帯域幅の割合に基づいて、前記受信信号の電力調整に用いられる利得を決定する決定部とを備える。
【００２５】
前記他の帯域には、前記所望信号以外の所定の信号の送信に用いられている帯域、無信号の帯域が含まれる。
【００２６】
前記受信装置は、１つのICチップであってもよいし、ICチップを含む部品、ICチップを含む部品から構成される装置であってもよい。
【００２９】
前記受信信号の帯域幅は、前記伝送制御情報の送信に用いられる帯域幅を含む帯域幅であるようにすることができる。
【００３０】
帯域幅を固定として所定の周波数帯域の信号を受信する受信部をさらに設けることができる。この場合、前記決定部には、前記受信部により受信された前記受信信号の電力調整に用いられる前記利得を決定させることができる。
【００３１】
前記決定部により決定された前記利得に基づいて前記受信信号の電力を調整する電力調整部をさらに設けることができる。
【００３２】
前記他の帯域の信号を抑圧する処理部をさらに設けることができる。この場合、前記電力調整部には、前記他の帯域の信号が抑圧された前記受信信号の電力を調整させることができる。
【００３３】
前記受信信号は、DVB-C2の変調信号であるようにすることができる。
【発明の効果】
【００３４】
本技術によれば、帯域幅が可変な信号を受信する場合の受信性能を向上させることができる。
【図面の簡単な説明】
【００３５】
【図１】DVB-T/T2とDVB-C2の信号のスペクトラムを示す図である。
【図２】C2 Systemの例を示す図である。
【図３】受信信号の例を示す図である。
【図４】受信装置の第１の構成例を示すブロック図である。
【図５】L1情報に含まれるパラメータを示す図である。
【図６】受信信号の例を示す図である。
【図７】受信帯域幅に対する所望OFDM信号の帯域幅の割合とゲインとの関係の例を示す図である。
【図８】図４の受信装置の動作について説明するフローチャートである。
【図９】受信装置の第２の構成例を示すブロック図である。
【図１０】受信装置の第３の構成例を示すブロック図である。
【図１１】受信装置の第４の構成例を示すブロック図である。
【図１２】図１１の受信装置の動作について説明するフローチャートである。
【図１３】受信システムの構成例を示す図である。
【図１４】コンピュータの構成例を示す図である。
【発明を実施するための形態】
【００３６】
以下、本技術を実施するための形態について説明する。説明は以下の順序で行う。
１．第１の実施の形態（RFチューナにおいてAGCを行う例）
２．第２の実施の形態（復調部においてAGCを行う例）
３．第３の実施の形態（復調部においてAGCを行う他の例）
４．第４の実施の形態（フィルタを用いて一部の帯域の抑圧を行う例）
５．変形例
【００３７】
＜第１の実施の形態＞
［受信装置の構成例］
図４は、本技術の一実施形態に係る受信装置の第１の構成例を示すブロック図である。
【００３８】
図４の受信装置１は、DVB-C2のOFDM信号の受信が可能な装置である。受信装置１は、RFチューナ１１、復調部１２、およびMPEGデコーダ１３から構成される。
【００３９】
RFチューナ１１は、周波数変換部２１、発振器２２、およびAGC部２３から構成される。復調部１２は、直交復調部３１、発振器３２、FFT演算部３３、等化部３４、ECC処理部３５、所望帯域幅取得部３６、およびゲイン決定部３７から構成される。ケーブル回線を介して入力されたDVB-C2のOFDM信号を表すRF信号はRFチューナ１１の周波数変換部２１に入力される。
【００４０】
RFチューナ１１の周波数変換部２１は、入力されたRF信号を受信し、発振器２２から供給された所定の周波数の信号に基づいてRF信号の周波数変換を行う。周波数変換部２１は、周波数変換を行うことによって得られたIF信号をAGC部２３に出力する。
【００４１】
発振器２２は、所定の周波数の信号を生成し、周波数変換部２１に出力する。
【００４２】
AGC部２３は、ゲイン決定部３７により設定されたゲインに従ってIF信号の電力を調整し、電力調整後のIF信号を出力する。AGC部２３から出力されたIF信号は、復調部１２の直交復調部３１とゲイン決定部３７に供給される。
【００４３】
復調部１２の直交復調部３１は、AGC部２３から供給されたIF信号に対して、発振器３２から供給された信号に基づいて直交復調を施す。直交復調部３１は、直交復調を施すことによって得られた、C2 Systemを構成するPreamble Symbol、Data Symbolなどの各シンボルを表す時間域のベースバンド信号をFFT演算部３３に出力する。
【００４４】
発振器３２は、受信信号の帯域の中心周波数と同じ周波数の信号を生成し、直交復調部３１に出力する。
【００４５】
FFT演算部３３は、直交復調部３１から供給されたベースバンド信号に対してFFT演算を施し、周波数域の信号を等化部３４に出力する。
【００４６】
等化部３４は、FFT演算部３３から供給された周波数域の信号からパイロットシンボルを抽出し、抽出したパイロットシンボルに基づいて伝送路特性を推定する。等化部３４は、推定した伝送路特性に基づいて伝送路の歪みを除去することによって、FFT演算部３３から供給された周波数域の信号の等化を行い、等化後の信号をECC処理部３５に出力する。
【００４７】
ECC処理部３５は、等化部３４から供給された等化後の信号に含まれるBCH符号、LDPC符号に基づいて各シンボルのデータの誤り訂正復号を行い、誤り訂正復号後のデータを出力する。ECC処理部３５からは、誤り訂正復号によって得られたL1情報、TSのデータが出力され、所望帯域幅取得部３６とMPEGデコーダ１３に供給される。
【００４８】
所望帯域幅取得部３６は、ECC処理部３５から供給されたL1情報に基づいて、受信帯域における所望OFDM信号の帯域幅を求める。所望OFDM信号は、受信信号の帯域に含まれるDVB-C2のOFDM信号である。所望OFDM信号には、受信対象のData SliceのOFDM信号も含まれる。
【００４９】
図５は、L1情報に含まれるパラメータを示す図である。主なパラメータについて説明する。
【００５０】
３行目のSTART_FREQUENCYは、C2 Systemの開始位置となる周波数を表す。開始位置は0Hzを起点して絶対周波数により表される。４行目のC2_BANDWIDTHは、C2 Systemの帯域幅を表す。
【００５１】
８行目のNUM_DSLICEは、C2 Frameに含まれるData Sliceの数を表す。９行目のNUM_NOTCHは、C2 Frameに含まれるNotchの数を表す。１０行目から４５行目までの各パラメータがData Slice毎に記述される。
【００５２】
１１行目のDSLICE_IDは、C2 SystemにおけるData SliceのIDを表す。１２行目のDSLICE_TUNE_POSは、START_FREQUENCYにより表される周波数を基準として、所望のData Sliceを受信するためのTuning Windowの中心位置を表す。
【００５３】
４６行目から５０行目までの各パラメータがNotch毎に記述される。４７行目のNOTCH_STARTは、START_FREQUENCYにより表される周波数を基準としてNotchの位置を表す。４８行目のNOTCH_WIDTHは、Notchの帯域幅を表す。
【００５４】
所望帯域幅取得部３６は、Tuning Windowの位置に基づいて受信信号の帯域を特定する。Tuning Windowの幅は3409キャリアとして固定である。また、所望帯域幅取得部３６は、受信信号の帯域内にNotchが含まれるか否かを、例えばL1情報に含まれるNOTCH_START、NOTCH_WIDTHに基づいて特定する。
【００５５】
所望帯域幅取得部３６は、受信信号の帯域内にNotchが含まれる場合、Notchの帯域以外の帯域を所望OFDM信号の帯域とし、その幅を求める。
【００５６】
図６は、受信信号の例を示す図である。所望帯域幅取得部３６は、図６Ａに示すように周波数ｆ０を中心位置とする受信信号の帯域内にNotchが含まれない場合、受信帯域内における所望OFDM信号の帯域幅が例えば3409キャリアであると特定し、所望OFDM信号の帯域幅を表す情報をゲイン決定部３７に出力する。
【００５７】
また、所望帯域幅取得部３６は、図６Ｂに示すように周波数ｆ０を中心位置とする受信信号の帯域内にNotch（Broadband Notch）が含まれる場合、Notchの帯域以外の帯域を所望OFDM信号の帯域とし、所望OFDM信号の帯域幅を表す情報をゲイン決定部３７に出力する。図６ＢのData SliceはDependent Static DSである。Notchの開始位置となる周波数ｆN_startがL1情報のNOTCH_STARTにより表され、周波数ｆN_startを開始位置として、Notchがどの範囲にまで存在するのかがNOTCH_WIDTHにより表される。
【００５８】
なお、所望OFDM信号の帯域幅の特定に用いられるL1情報は、Dependent Static DSではないData Slice（通常のData Slice）を受信したときに受信されたL1情報である。DVB-C2においては、受信対象のData SliceがDependent Static DSの全部または一部に含まれるData Sliceである場合、先に、通常のData Sliceの受信が行われる。通常のData Sliceの受信時にL1情報を復号することができ、Dependent Static DSの受信は、通常のData Sliceの受信時に取得されたL1情報を用いて行われる。上述したように、Dependent Static DSを含む帯域の信号を受信して復調してもL1情報を復号できるとは限らない。
【００５９】
ゲイン決定部３７は、所望帯域幅取得部３６から供給された情報に基づいて、所望OFDM信号の帯域幅を、受信帯域幅で除算することによって、受信帯域幅に対する所望OFDM信号の帯域幅の割合を求める。ゲイン決定部３７は、受信帯域幅に対する所望OFDM信号の帯域幅の割合に応じたゲインを決定し、決定したゲインをRFチューナ１１のAGC部２３にフィードバックして設定する。
【００６０】
図７は、受信帯域幅に対する所望OFDM信号の帯域幅の割合と、ゲインとの関係の例を示す図である。受信帯域幅に対する所望OFDM信号の帯域幅の割合と、ゲインとの関係は、AGC部２３を構成するアンプの特性によって変わる。
【００６１】
図７Ａは、AGC部２３を構成するアンプが、受信帯域幅に対する所望OFDM信号の帯域幅の割合に応じて、ゲインが線形となる特性を有している場合の例を示す。この場合、ゲイン決定部３７は、受信帯域幅に対する所望OFDM信号の帯域幅の割合に比例したゲインをAGC部２３に設定することになる。
【００６２】
図７Ｂは、AGC部２３を構成するアンプの特性が、受信帯域幅に対する所望OFDM信号の帯域幅の割合に対してゲインが非線形となる特性を有している場合の例を示す。この場合、ゲイン決定部３７は、予め求められた所定の換算式に基づいて、受信帯域幅に対する所望OFDM信号の帯域幅の割合に応じたゲインを求め、AGC部２３に設定することになる。
【００６３】
図４の説明に戻り、MPEGデコーダ１３は、ECC処理部３５から供給されたTSを構成するTSパケットに格納されているデータのデコードを行い、デコード後のデータを後段に出力する。TSパケットに格納されているデータはMPEG2などの所定の方式で圧縮されている。
【００６４】
このように、受信装置１においては、受信帯域の一部にのみ所望OFDM信号の帯域が存在する場合、受信帯域全体に所望OFDM信号の帯域が存在する場合と異なるゲインが設定される。
【００６５】
これにより、受信信号の帯域内にNotchが含まれる場合であっても含まれない場合であっても、AGC部２３の出力の電力をほぼ一定とすることができ、図示せぬ処理部において行われるA/D変換等の各種の処理を精度よく行うことが可能になる。
【００６６】
［受信装置の動作］
図８のフローチャートを参照して、以上のような構成を有する受信装置１の動作について説明する。図８に示す各ステップの処理は、適宜、他のステップの処理と並行して、または前後して行われる。
【００６７】
ステップＳ１において、RFチューナ１１の周波数変換部２１はRF信号の周波数変換を行う。
【００６８】
ステップＳ２において、AGC部２３は、ゲイン決定部３７により設定されたゲインに従って、周波数変換部２１から供給されたIF信号の電力を調整する。
【００６９】
ステップＳ３において、復調部１２の直交復調部３１は、AGC部２３から供給されたIF信号に対して直交復調を施す。
【００７０】
ステップＳ４において、FFT演算部３３は、直交復調によって得られた時間域のベースバンド信号に対してFFT演算を施す。
【００７１】
ステップＳ５において、等化部３４は、FFT演算によって得られた周波数域の信号の等化を行う。
【００７２】
ステップＳ６において、ECC処理部３５は、等化後の信号の誤り訂正復号を行う。
【００７３】
ステップＳ７において、所望帯域幅取得部３６は、誤り訂正復号により得られたL1情報に基づいて、所望OFDM信号の帯域幅を求める。
【００７４】
ステップＳ８において、ゲイン決定部３７は、所望帯域幅取得部３６により求められた所望OFDM信号の帯域幅に基づいて、受信帯域幅に対する所望OFDM信号の帯域幅の割合を求める。
【００７５】
ステップＳ９において、ゲイン決定部３７は、受信帯域幅に対する所望OFDM信号の帯域幅の割合に応じたゲインを決定し、AGC部２３に設定する。AGC部２３においては、ゲイン決定部３７により設定されたゲインに従ってIF信号の電力の調整が行われる。
【００７６】
以上の処理によって、受信信号の帯域内にNotchが含まれる場合であっても含まれない場合であっても、AGC部２３の出力の電力をほぼ一定とすることができ、受信性能を向上させることができる。
【００７７】
＜第２の実施の形態＞
図９は、受信装置１の第２の構成例を示すブロック図である。
【００７８】
図９に示す構成のうち、図４の構成と同じ構成には同じ符号を付してある。図９に示す受信装置１の構成は、AGC部２３がRFチューナ１１内ではなく、復調部１２内に設けられている点で図４の構成と異なる。重複する説明については適宜省略する。
【００７９】
復調部１２のAGC部２３は、ゲイン決定部３７により設定されたゲインに従って、RFチューナ１１の周波数変換部２１から供給されたIF信号の電力を調整し、電力調整後のIF信号を直交復調部３１とゲイン決定部３７に出力する。
【００８０】
ゲイン決定部３７は、所望帯域幅取得部３６から供給された情報に基づいて、受信帯域幅に対する所望OFDM信号の帯域幅の割合を求め、求めた割合に応じたゲインをAGC部２３に設定する。
【００８１】
このように、復調部１２の内部であって、IF信号を対象として処理を行う位置にAGC部２３を設けることも可能である。
【００８２】
＜第３の実施の形態＞
図１０は、受信装置１の第３の構成例を示すブロック図である。
【００８３】
図１０に示す構成のうち、図４、図９の構成と同じ構成には同じ符号を付してある。重複する説明については適宜省略する。図１０に示す受信装置１の構成は、AGC部２３が復調部１２の内部であって、直交復調部３１の後段の位置に設けられている点で図９の構成と異なる。図９においては、復調部１２の内部であって、直交復調部３１の前段の位置にAGC部２３が設けられている。
【００８４】
復調部１２の直交復調部３１は、RFチューナ１１の周波数変換部２１から供給されたIF信号に対して直交復調を施す。直交復調部３１は、直交復調を施すことによって得られた時間域のベースバンド信号をAGC部２３に出力する。
【００８５】
AGC部２３は、ゲイン決定部３７により設定されたゲインに従って、直交復調部３１から供給された時間域のベースバンド信号の電力を調整し、電力調整後のベースバンド信号を出力する。AGC部２３から出力されたベースバンド信号は、FFT演算部３３とゲイン決定部３７に供給される。
【００８６】
FFT演算部３３は、AGC部２３から供給されたベースバンド信号に対してFFT演算を施し、周波数域の信号を等化部３４に出力する。
【００８７】
このように、復調部１２の内部であって、ベースバンド信号を対象として処理を行う位置にAGC部２３を設けることも可能である。
【００８８】
＜第４の実施の形態＞
［受信装置の構成例］
図１１は、受信装置１の第４の構成例を示すブロック図である。
【００８９】
図１１に示す構成のうち、図１０の構成と同じ構成には同じ符号を付してある。重複する説明については適宜省略する。図１１に示す受信装置１の構成は、直交復調部３１の後段であって、AGC部２３の前段の位置にフィルタ処理部４１が設けられている点で図１０の構成と異なる。
【００９０】
復調部１２の直交復調部３１は、RFチューナ１１の周波数変換部２１から供給されたIF信号に対して直交復調を施す。直交復調部３１は、直交復調を施すことによって得られた時間域のベースバンド信号をフィルタ処理部４１に出力する。
【００９１】
フィルタ処理部４１は、所望帯域幅取得部３６から供給されたNotchに関する情報に基づいて、受信帯域に含まれる、所望OFDM信号の帯域以外の帯域を特定し、特定した帯域の信号を抑圧する。フィルタ処理部４１は、所望OFDM信号の帯域以外の帯域の信号を抑圧したベースバンド信号をAGC部２３に出力する。
【００９２】
AGC部２３は、ゲイン決定部３７により設定されたゲインに従って、フィルタ処理部４１から供給された時間域のベースバンド信号の電力を調整し、電力調整後のベースバンド信号を出力する。AGC部２３から出力されたベースバンド信号は、FFT演算部３３とゲイン決定部３７に供給される。
【００９３】
所望帯域幅取得部３６は、ECC処理部３５から供給されたL1情報に基づいて所望OFDM信号の帯域幅を求め、所望OFDM信号の帯域幅を表す情報をゲイン決定部３７に出力する。また、所望帯域幅取得部３６は、L1情報に基づいて特定した受信帯域内におけるNotchの位置を表す情報をフィルタ処理部４１に出力する。
【００９４】
フィルタ処理部４１においては、所望帯域幅取得部３６から供給された情報に基づいて、Notchが存在する帯域を抑圧するためのフィルタ処理が行われる。Notchの位置を表す情報ではなく、受信帯域内における所望OFDM信号の帯域の位置を表す情報が所望帯域幅取得部３６からフィルタ処理部４１に出力されるようにしてもよい。
【００９５】
実用上、所望OFDM信号の帯域外に外乱が乗っていることが想定される。外乱の電力もゲインに影響を与えるため、そのような外乱の信号については、AGCの前にフィルタ処理によって抑圧しておいた方が好ましい。AGCの前に外乱を抑圧しておくことによって、量子化雑音の最小化を実現することができ、受信性能を向上させることが可能になる。
【００９６】
フィルタ処理部４１の位置は、AGC部２３の前段の位置であれば、図１１のRFチューナ１１内などの他の位置に設けられるようにしてもよい。図４のAGC部２３の前段、図９のAGC部２３の前段にフィルタ処理部４１を設けることも可能である。
【００９７】
［受信装置の動作］
次に、図１２のフローチャートを参照して、図１１の構成を有する受信装置１の動作について説明する。図１２に示す各ステップの処理も、適宜、他のステップの処理と並行して、または前後して行われる。
【００９８】
図１２の処理は、AGCの前に直交復調が行われる点と、所望OFDM信号の帯域外の帯域の信号を抑圧する処理が追加して行われる点を除いて図８の処理と同様である。
【００９９】
すなわち、ステップＳ２１において、RFチューナ１１の周波数変換部２１はRF信号の周波数変換を行う。
【０１００】
ステップＳ２２において、復調部１２の直交復調部３１は、周波数変換部２１から供給されたIF信号に対して直交復調を施す。
【０１０１】
ステップＳ２３において、フィルタ処理部４１は、直交復調部３１により直交復調が施されることによって得られたベースバンド信号に対してフィルタ処理を施し、所望OFDM信号の帯域外の帯域の信号を抑圧する。所望OFDM信号の帯域外の帯域の位置は、所望帯域幅取得部３６から供給された情報に基づいて特定される。
【０１０２】
ステップＳ２４において、AGC部２３は、ゲイン決定部３７により設定されたゲインに従って、フィルタ処理部４１から供給されたベースバンド信号の電力を調整する。
【０１０３】
ステップＳ２５において、FFT演算部３３は、AGC部２３から供給された時間域のベースバンド信号に対してFFT演算を施す。
【０１０４】
ステップＳ２６において、等化部３４は、FFT演算によって得られた周波数域の信号の等化を行う。
【０１０５】
ステップＳ２７において、ECC処理部３５は、等化後の信号の誤り訂正復号を行う。
【０１０６】
ステップＳ２８において、所望帯域幅取得部３６は、所望OFDM信号の帯域幅をL1情報に基づいて求める。
【０１０７】
ステップＳ２９において、ゲイン決定部３７は、受信帯域幅に対する所望OFDM信号の帯域幅の割合を求める。
【０１０８】
ステップＳ３０において、ゲイン決定部３７は、受信帯域幅に対する所望OFDM信号の帯域幅の割合に応じたゲインを決定し、AGC部２３に設定する。
【０１０９】
以上の処理により、AGCの前に外乱を抑圧しておくことができ、受信性能を向上させることが可能になる。
【０１１０】
＜変形例＞
受信帯域幅に対する所望OFDM信号の帯域幅の割合に応じてゲインを決定するものとしたが、受信信号の各周波数帯域の信号の電力を求め、受信信号全体の電力に対する所望OFDM信号の電力の割合に応じてゲインを決定するようにしてもよい。
【０１１１】
また、受信帯域にNotchが含まれており、受信帯域の一部にのみ所望OFDM信号の帯域が含まれる場合、所望OFDM信号の帯域幅の割合に応じてゲインを設定するのではなく、受信帯域にNotchが含まれない場合と異なる所定のゲインを一律に設定するようにしてもよい。
【０１１２】
［受信システムの構成例］
図１３は、受信装置１を適用した受信システムの構成例を示すブロック図である。
【０１１３】
図１３の受信システム１０１は、チューナ１１１、復調部１１２、信号処理部１１３、および出力部１１４から構成される。
【０１１４】
チューナ１１１は、地上デジタル放送、衛星デジタル放送、CATV網、インターネットなどの伝送路を介して伝送されてきた信号を受信し、復調部１１２に出力する。上述したRFチューナ１１はチューナ１１１に含まれる。
【０１１５】
復調部１１２は、チューナ１１１から供給された信号に対して、復調処理、誤り訂正処理を含む伝送路復号処理を施し、伝送路復号処理によって得られたデータを信号処理部１１３に出力する。上述した復調部１２が復調部１１２に含まれる。
【０１１６】
信号処理部１１３は、伝送路復号処理によって得られたデータに対して、伸張処理、デスクランブル処理等の信号処理を適宜施し、送信対象のデータを取得する。上述したMPEGデコーダ１３が信号処理部１１３に含まれる。
【０１１７】
信号処理部１１３による伸張処理は、画像や音声などの送信対象のデータに対して、MPEG等の所定の方式を用いて送信側において圧縮が施されている場合に行われる。また、デスクランブル処理は、送信対象のデータに対して送信側においてスクランブルが施されている場合に行われる。信号処理部１１３は、信号処理を適宜施すことによって得られた送信対象のデータを出力部１１４に出力する。
【０１１８】
出力部１１４は、信号処理部１１３から供給されたデータに基づいて画像を表示させる場合、信号処理部１１３から供給されたデータに対してD/A変換等の処理を施す。出力部１１４は、D/A変換等の処理を施すことによって得られた画像信号を受信システム１０１に設けられたディスプレイ、または受信システム１０１の外部のディスプレイに出力し、画像を表示させる。
【０１１９】
また、出力部１１４は、信号処理部１１３から供給されたデータを記録媒体に記録させる場合、信号処理部１１３から供給されたデータを受信システム１０１の内部の記録媒体、または外部の記録媒体に出力し、記録させる。記録媒体は、ハードディスク、フラッシュメモリ、光ディスクなどより構成される。外部の記録媒体は、受信システム１０１の外付けの記録媒体だけでなく、ネットワークを介して接続される記録媒体であってもよい。
【０１２０】
以上のような構成を有する受信システム１０１は、IC(Integrated Circuit)チップ等のハードウェアにより構成されるようにしてもよいし、複数のICチップが配設されることによって構成されるボード等の部品や、その部品を含む独立した装置から構成されるようにしてもよい。
【０１２１】
チューナ１１１、復調部１１２、信号処理部１１３、および出力部１１４は、それぞれ、１つの独立したハードウェア、又はソフトウェアモジュールとして構成することが可能である。また、チューナ１１１、復調部１１２、信号処理部１１３、および出力部１１４のうちの２つ以上の組み合わせが１つの独立したハードウェア、又はソフトウェアモジュールとして構成されるようにしてもよい。例えば、チューナ１１１と復調部１１２が１つのハードウェア等により構成され、信号処理部１１３と出力部１１４が１つのハードウェア等により構成されるようにすることも可能である。
【０１２２】
受信システム１０１は、例えば、デジタル放送としてのテレビジョン放送を受信するTVや、ラジオ放送を受信するラジオ受信機、テレビジョン放送を録画するレコーダ機器等に適用することができる。
【０１２３】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１２４】
図１４は、上述した一連の処理をプログラムにより実行するコンピュータのハードウェアの構成例を示すブロック図である。
【０１２５】
CPU(Central Processing Unit)１５１、ROM(Read Only Memory)１５２、RAM(Random Access Memory)１５３は、バス１５４により相互に接続されている。
【０１２６】
バス１５４には、さらに、入出力インタフェース１５５が接続されている。入出力インタフェース１５５には、キーボード、マウスなどよりなる入力部１５６、ディスプレイ、スピーカなどよりなる出力部１５７が接続される。また、入出力インタフェース１５５には、ハードディスクや不揮発性のメモリなどよりなる記憶部１５８、ネットワークインタフェースなどよりなる通信部１５９、リムーバブルメディア１６１を駆動するドライブ１６０が接続される。
【０１２７】
以上のように構成されるコンピュータでは、CPU１５１が、例えば、記憶部１５８に記憶されているプログラムを入出力インタフェース１５５及びバス１５４を介してRAM１５３にロードして実行することにより、上述した一連の処理が行われる。
【０１２８】
CPU１５１が実行するプログラムは、例えばリムーバブルメディア１６１に記録して、あるいは、ローカルエリアネットワーク、インターネット、デジタル放送といった、有線または無線の伝送媒体を介して提供され、記憶部１５８にインストールされる。
【０１２９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１３０】
本技術の実施の形態は、上述した実施の形態に限定されるものではなく、本技術の要旨を逸脱しない範囲において種々の変更が可能である。
【符号の説明】
【０１４３】
１  受信装置，  １１  RFチューナ，  １２  復調部，  １３  MPEGデコーダ，  ２１  周波数変換部，  ２２  発振器，  ２３  AGC部，  ３１  直交復調部，  ３２  発振器，  ３３  FFT演算部，  ３４  等化部，  ３５  ECC処理部，  ３６  所望帯域幅取得部，  ３７  ゲイン決定部，  ４１  フィルタ処理部
【図１】
0005754211.tif 000002
【図２】
0005754211.tif 000003
【図３】
0005754211.tif 000004
【図４】
0005754211.tif 000005
【図５】
0005754211.tif 000006
【図６】
0005754211.tif 000007
【図７】
0005754211.tif 000008
【図８】
0005754211.tif 000009
【図９】
0005754211.tif 000010
【図１０】
0005754211.tif 000011
【図１１】
0005754211.tif 000012
【図１２】
0005754211.tif 000013
【図１３】
0005754211.tif 000014
【図１４】
0005754211.tif 000015